(57)【要約】この発明では、２本の電線の途中に通信障害機器が存在する場合において、前記通信障害機器の両端側における２本の電線のそれぞれに配置した分割型コアと、前記通信障害機器の両端側における電線接続端間のそれぞれに接続したキャパシタと、前記通信障害機器の両端側において対応する前記分割型コア同士をトランスとして機能するように接続するケーブルとを備える。これによって、電力線を用いて高周波信号を伝送する電力線通信だけでなく、任意の電線を用いて高周波信号を伝送する場合に、バイパス対象機器の機種に依らずバイパスすることができ、かつ設置作業の容易性を有する高周波バイパス装置を得ることができる。【特許請求の範囲】
【請求項１】
２本の電線の途中に通信障害機器が存在する場合において、
前記通信障害機器の両端側における２本の電線のそれぞれに配置した分割型コアと、
前記通信障害機器の両端側における電線接続端間のそれぞれに接続したキャパシタと、
前記通信障害機器の両端側において対応する前記分割型コア同士をトランスとして機能するように接続するケーブルと、
を備えることを特徴とする高周波バイパス装置。
【請求項２】
２本の電線の途中に通信障害機器が存在する場合において、
前記通信障害機器の両端側における２本の電線のそれぞれに接続したバンパイアと、
前記通信障害機器の両端側において対応する前記バンパイア同士を高周波入出力手段を介して接続するケーブルと、
前記通信障害機器の両端側において前記バンパイアの配置位置と前記通信障害機器との間おける２本の電線のそれぞれにインダクタとして配置した分割型コアと、
前記通信障害機器の両端側における電線接続端間のそれぞれに接続したキャパシタと、
を備えることを特徴とする高周波バイパス装置。
【請求項３】
２本の電線の途中に通信障害機器が存在する場合において、
前記通信障害機器の両端側における２本の電線のいずれか一方に配置した分割型コアと、
前記通信障害機器の両端側における電線接続端間のそれぞれに接続したキャパシタと、
前記通信障害機器の両端側における前記分割型コア同士をトランスとして機能するように接続するケーブルと、
を備えることを特徴とする高周波バイパス装置。
【請求項４】
２本の電線の途中に通信障害機器が存在する場合において、
前記通信障害機器の両端側における２本の電線のそれぞれに接続したバンパイアと、
前記通信障害機器の両端側において対応する前記バンパイア同士を高周波入出力手段を介して接続するケーブルと、
前記通信障害機器の両端側において前記バンパイアの配置位置と前記通信障害機器との間おける２本の電線のいずれか一方にインダクタとして配置した分割型コアと、
前記通信障害機器の両端側における電線接続端間のそれぞれに接続したキャパシタと、
を備えることを特徴とする高周波バイパス装置。
【発明の詳細な説明】
【技術分野】  この発明は、電線上の通信信号を途中に存在する通信障害機器をバイパスして伝送する高周波バイパス装置に関するものである。
【背景技術】  電線上の通信信号を途中に存在する通信障害機器をバイパスして伝送する高周波バイパス伝送方法として、従来では、電力線を用いて高周波信号を伝送する電力線通信において、配電トランスが通信障害を与えることから、高圧配電線上の通信信号を高圧配電線から配電トランスをバイパスして低圧配電線に伝送する方法が知られている（例えば特許文献１）。
すなわち、特許文献１では、高圧配電線に高周波の通信信号を重畳し、高圧配電線の相間に第１コンデンサとこのコンデンサに直列に接続された抵抗とを形成し、抵抗の両端を低圧配電線に接続することで、高圧配電線から配電トランスをバイパスして低圧配電線に高周波の通信信号を伝送する電力線を用いた高周波の伝送方法（つまり、高周波バイパス伝送方法）が開示されている。
［特許文献１］  特開２００２−２１７７９６号公報
しかしながら、従来技術による高周波バイパス伝送方法では、バイパス対象の配電機器近傍の高圧配電線で高周波信号を接続する場合、そのバイパス対象の配電機器が配電トランスであるときは、高周波インピーダンスが大きいのでバイパス可能であるが、そのバイパス対象の配電機器がキャパシタバンクのような高周波インピーダンスが低い場合には、接続点の相間が高周波ショート状態であり、バイパスさせる信号を取り出すことは困難である。
また、バイパス対象の配線機器が分電盤のような分岐のある機器であるときは、分岐端からの信号反射の影響を受けるので、バイパスさせる信号の伝送特性が悪くなる。要するに、従来の高周波バイパス伝送方法は、バイパス対象の配電機器近傍において高圧配電線に高周波信号を接続する場合、そのバイパス対象の配電機器が配電トランスのような高周波インピーダンスが大きい場合に限定されるという問題がある。
さらに、従来の高周波バイパス伝送方法は、コンデンサの形成方法として、導電性テープまたはシートを高圧（低圧）配電線の絶縁被覆上に巻き付ける方法、または導電性円筒部材の分割片で高圧（低圧）配電線の絶縁被覆を挟み込む方法などを採っており、伝送特性確保のために電線１ｍに渡ってコンデンサを形成することが例として挙げられている。このように、コンデンサ形成のための作業が容易でないという問題もある。
一方、電力線を用いて高周波信号を伝送する電力線通信だけでなく、例えば、電線がスイッチを介して繋がっているが、そのスイッチが開路状態にある場合には当該スイッチは通信障害機器になるので、そのスイッチをバイパスして両端の電線を接続することができれば、任意の電線を用いた高周波信号の伝送ができるので、通信サービスの向上が図れる。
この発明は、上記に鑑みてなされたものであり、電力線を用いて高周波信号を伝送する電力線通信だけでなく、任意の電線を用いて高周波信号を伝送する場合に、バイパス対象機器の機種に依らずバイパスすることができ、かつ設置作業の容易性を有する高周波バイパス装置を得ることを目的とする。
【発明の開示】
この発明では、２本の電線の途中に通信障害機器が存在する場合において、前記通信障害機器の両端側における２本の電線のそれぞれに配置した分割型コアと、前記通信障害機器の両端側における電線接続端間のそれぞれに接続したキャパシタと、前記通信障害機器の両端側において対応する前記分割型コア同士をトランスとして機能するように接続するケーブルとを備えることを特徴とする。
この発明によれば、通信障害機器の両端側における電線接続点間のそれぞれに接続したキャパシタによって当該通信障害機器の特性の影響を受けないようになるので、バイパス対象機器の機種に依らずバイパスすることができ、電力線を用いて高周波信号を伝送する電力線通信だけでなく、任意の電線を用いて高周波信号を伝送することができる。このとき、前記キャパシタによってトランスとして機能する分割型コアによる高周波信号の取り出し効率と注入効率とを高めることができる。また、分割型コアは電線を挟み込んで配置でき、キャパシタは外部に露出する電線接続端間に接続するので、当該電線が電力線などの電源線である場合に活線状態での取付工事が行える。
【図面の簡単な説明】  第１図はこの発明の実施の形態１である高周波バイパス装置の機器配置を示す図であり、第２図は第１図に示す高周波バイパス装置の回路構成を示す等価回路図であり、第３図はこの発明の実施の形態２である高周波バイパス装置の機器配置を示す図であり、第４図は第３図に示す高周波バイパス装置の回路構成を示す等価回路図であり、第５図はこの発明の実施の形態３である高周波バイパス装置の機器配置を示す図であり、第６図は第５図に示す高周波バイパス装置の回路構成を示す等価回路図であり、第７図はこの発明の実施の形態４である高周波バイパス装置の機器配置を示す図であり、第８図は第７図に示す高周波バイパス装置の回路構成を示す等価回路図である。
【発明を実施するための最良の形態】  以下に添付図面を参照して、この発明にかかる高周波バイパス装置の好適な実施の形態を詳細に説明する。
実施の形態１．
第１図は、この発明の実施の形態１である高周波バイパス装置の機器配置を示す図である。第２図は、第１図に示す高周波バイパス装置の回路構成を示す等価回路図である。なお、この実施の形態１および以降に示す各実施の形態では、この発明の理解を容易にするため、電力線を用いて高周波信号を伝送する電力線通信を例に挙げて説明する。
第１図において、配電線１，２と配電線３，４の間には、通信障害となる配電機器５が設置されている。配電機器５は、分電盤、柱上変圧器やキャパシタバンクなどである。第１図に示す高周波バイパス装置は、この配電機器５をバイパスして一端側の配電線１，２と他端側の配電線３，４とを高周波的に接続し高周波信号の通信路を形成するように構成されている。
すなわち、配電機器５の一端側の配電線１，２に、それぞれ分割型のコア６ａ，６ｂを挟み込んで設置し、また配電機器５の他端側の配電線３，４に、それぞれ分割型のコア７ａ，７ｂを挟み込んで設置し、コア６ａ，６ｂとコア７ａ，７ｂとをそれぞれのコアに通したケーブル８によって接続する。これによって、コア６ａ，６ｂ，７ａ，７ｂは、それぞれトランスとして機能する。また、配電機器５と配電線１，２との接続端間にキャパシタ９ａを設置し、配電機器５と配電線３，４との接続端間にキャパシタ９ｂを設置する。
したがって、第１図に示す高周波バイパス装置の回路構成は、第２図に示すようになる。図２において、配電機器５の一端側では、外部に一端が接続される配電線２１の他端はコア６ａが形成するトランスＴ１の一方の入出力側巻線を介して配電線２３の一端に接続され、配電線２３の他端は配電機器５の一端側の接続点Ａ１に接続される。以上が第１図に示す配電線１とコア６ａの関係である。
また、外部に一端が接続される配電線２２の他端はコア６ｂが形成するトランスＴ２の一方の入出力側巻線を介して配電線２４の一端に接続され、配電線２４の他端は配電機器５の一端側の接続点Ａ２に接続される。以上が第１図に示す配電線２とコア６ｂの関係である。
同様に、配電機器５の他端側では、外部に一端が接続される配電線２７の他端はコア７ａが形成するトランスＴ３の一方の入出力側巻線を介して配電線２５の一端に接続され、配電線２５の他端は配電機器の他端の接続点Ｂ１に接続される。以上が第１図に示す配電線３とコア７ａの関係である。
また、外部に一端が接続される配電線２８の他端はコア７ｂが形成するトランスＴ４の一方の入出力側巻線を介して配電線２６の一端に接続され、配電線２６の他端は配電機器５の他端側の接続点Ｂ２に接続される。以上が第１図に示す配電線４とコア７ａの関係である。
トランスＴ１およびトランスＴ２では、他方の入出力側巻線の一端が共通に接続されている。また、トランスＴ３およびトランスＴ４では、他方の入出力側巻線の一端が共通に接続されている。そして、トランスＴ１およびトランスＴ３の他方の入出力側巻線の他端がケーブル２９を介して接続され、トランスＴ２およびトランスＴ４の他方の入出力側巻線の他端がケーブル３０を介して接続されている。以上が第１図に示すコア６ａ，６ｂ、ケーブル８、コア７ａ，７ｂの関係である。
そして、第１図に示すキャパシタ９ａであるキャパシタＣ１が、配電機器５の一端側の接続点Ａ１と接続点Ａ２との間に接続される。また、第１図に示すキャパシタ９ｂであるキャパシタＣ２が、配電機器５の他端側の接続点Ｂ１と接続点Ｂ２との間に接続される構成となる。
次に、第２図を参照して、以上のように構成される実施の形態１による高周波バイパス装置の動作について説明する。
まず、電力線通信の高周波信号が配電線２１，２２の一端側に注入されていて、トランスＴ１，Ｔ２からその高周波信号を取り出し、ケーブル２９，３０を経由してトランスＴ３，Ｔ４にその高周波信号を注入するバイパス方法について説明する。
配電線２１，２２の一端側には、商用周波数の電力の他、高周波信号である電力線通信信号が重畳されている。その高周波信号のみがトランスＴ１，Ｔ２によってケーブル２９，３０側に取り出される。取り出された高周波信号はケーブル２９，３０によってトランスＴ３，Ｔ４の一方の入出力巻線に伝達され、トランスＴ３，Ｔ４の他方の入出力巻線から配電線２７，２８に注入される。
このとき、配電機器５の接続点Ａ１と接続点Ａ２との間に設置されているキャパシタＣ１は、次の２つの機能を有している。
すなわち、第１の機能は、接続点Ａ１と接続点Ａ２との間の高周波インピーダンスを低くすることにより、高周波信号の使用する高周波帯域において、配電機器５の損失特性の影響を、高周波信号を取り出す地点において、見えなくすることである。ここで、配電機器５には分電盤、柱上変圧器、キャパシタバンクなどがある。それらはそれぞれ特有の損失特性を有している。
この場合、キャパシタＣ１を配電機器の接続点Ａ１と接続点Ａ２との間に設置することにより、接続点Ａ１と接続点Ａ２との間は高周波ショート状態となるので、高周波の取り出し地点において、配電機器５の損失特性は見えなくなる。つまり、トランスＴ１，Ｔ２では、配電機器５の特性の影響を受けないで、配電線２１，２２から高周波信号を取り出しケーブル２９，３０に送り出すことができる。
また、第２の機能は、トランスＴ１，Ｔ２による高周波信号の取り出し効率を上げることである。トランスＴ１は、配電線２１と配電線２３との間にそのインダクタンスによるインピーダンス分の電位差を生じさせる。同様に、トランスＴ２は、配電線２２と配電線２４との間にそのインダクタンスによるインピーダンス分の電位差を生じさせる。
この場合、配電線２１と配電線２２とから来た高周波信号の電圧値は、トランスＴ１に発生する電位差と、トランスＴ２に発生する電位差と、配電機器５の接続点Ａ１と接続点Ａ２との間の電位差との割合に応じてそれぞれに分配される。トランスＴ１，Ｔ２にそれぞれ発生する電位差が最も大きくなるのは、配電機器５との接続点Ａ１と接続点Ａ２との間の電位差が最小となるとき、すなわち接続点Ａ１と接続点Ａ２との間のインピーダンスが０となるときである。
したがって、接続点Ａ１と接続点Ａ２との間にキャパシタＣ１を接続して高周波をショート状態にすることにより、トランスＴ１，Ｔ２にそれぞれ発生する電位差を最も大きくすることができ、トランスＴ１，Ｔ２が配電線２１，２２から高周波信号を取り出す効率を上げることができる。
同様に、配電機器５の接続点Ｂ１と接続点Ｂ２の間に設置されているキャパシタＣ２は、次の２つの機能を有している。
すなわち、第１の機能は、接続点Ｂ１と接続点Ｂ２の間の高周波インピーダンスを低くすることにより、高周波信号の使用する高周波帯域において、配電機器５の損失特性の影響を、高周波信号を注入する地点において、見えなくすることである。ここで、配電機器５には分電盤、柱上変圧器、キャパシタバンクなどがある。それらはそれぞれ特有の損失特性を有している。
この場合、キャパシタＣ２を配電機器の接続点Ｂ１と接続点Ｂ２との間に設置することにより、Ｂ１とＢ２の間は高周波ショート状態となるので、高周波の注入点において、配電機器５の損失特性は見みえなくなる。つまり、トランスＴ３，Ｔ４では、配電機器５の特性の影響を受けないで、ケーブル２９，３０から高周波信号を取り出して配電線２５，２７に注入することができる。
また、第２の機能は、トランスＴ３，Ｔ４から高周波信号を配電線２５，２７に注入する効率を上げることである。すなわち、トランスＴ３は、配電線２５と配電線２７との間にそのインダクタンスによるインピーダンス分の電位差を生じさせる。同様に、トランスＴ４は、配電線２６と配電線２８との間にそのインダクタンスによるインピーダンス分の電位差を生じさせる。
この場合、トランスＴ３に発生する電位差とＴ４に発生する電位差は、配電機器５の接続点Ｂ１と接続点Ｂ２との間の電位差と、配電線２７，２８に接続される受信側機器の終端抵抗による電位差との割合に応じてそれぞれに分配される。受信側機器の終端抵抗による電位差が最も大きくなるのは、配電機器の接続点Ｂ１と接続点Ｂ２との間の電位差が最小となるとき、すなわち接続点Ｂ１と接続点Ｂ２との間のインピーダンスが０となるときである。
したがって、接続点Ｂ１と接続点Ｂ２との間にキャパシタＣ２を接続して高周波をショート状態にすることにより、受信側機器の終端抵抗による電位差を最も大きくすることができるので、トランスＴ３，Ｔ４から高周波信号を配電線２５，２７に注入する効率を上げることができる。
なお、配電機器５の接続点Ａ１と接続点Ａ２との間に設置されているキャパシタＣ１は、トランスＴ１，Ｔ２と共にＬＣローパスフィルタを構成している。商用周波数の電力に影響を与えないようにするため、このＬＣローパスフィルタのカットオフ周波数が商用周波数よりも高くかつ高周波信号の周波数よりも低くなるように、トランスＴ１，Ｔ２のインダクタンス値とキャパシタＣ１の容量値を適切に設定する必要がある。
同様に、配電機器５の接続点Ｂ１と接続点Ｂ２との間に設置されているキャパシタＣ２は、トランスＴ３，Ｔ４と共にＬＣローパスフィルタを構成している。商用周波数の電力に影響を与えないようにするため、このＬＣローパスフィルタのカットオフ周波数が商用周波数よりも高くかつ高周波信号の周波数よりも低くなるように、トランスＴ３，Ｔ４のインダクタンス値とキャパシタＣ２の容量値を適切に設定する必要がある。
このように、配電線２１，２２に注入され伝送されてきた電力線通信の高周波信号を、トランスＴ１，Ｔ２によって取り出し、ケーブル２９，３０を経由してトランスＴ３，Ｔ４によって配電線２７，２８に注入することができる。逆方向、すなわち配電線２７，２８に注入され伝送されてきた電力線通信の高周波信号を、トランスＴ３，Ｔ４によって取り出し、ケーブル２９，３０を経由してトランスＴ１，Ｔ２によって配電線２１，２２に注入することも、配電機器５を中心に対称の構成となっているので、上記と同様に行うことができる。
以上のように、実施の形態１によれば、高周波信号の配電線からの取り出しと配電線への注入の手段として、トランスとして機能する分割型のコアを配電機器の両側における２本の配電線にそれぞれ設置してケーブル接続するとともに、配電機器と配電線との接続端間にキャパシタを設置しているので、高周波信号の周波数帯域において配電機器の損失特性の影響を受けないで、高周波信号のバイパスが可能である。
このとき、配電機器と配電線との接続端間に設置したキャパシタによって、トランスとして機能するコアによる高周波信号の取り出し効率と注入効率を大きくすることができる。
また、配電線に設置するトランスとしてのコアは分割型であるので、配電線を挟み込んで設置することができる。また、キャパシタの接続位置は配電機器と配電線との接続端であり、接続部分が露出している。したがって、配電線が活線状態のままで取付工事が行える、すなわち無停電工事が可能である。
実施の形態２．
第３図は、この発明の実施の形態２である高周波バイパス装置の機器配置を示す図である。第４図は、第３図に示す高周波バイパス装置の回路構成を示す等価回路図である。なお、第３図と第４図では、第１図と第２図（実施の形態１）に示した構成要素と同一ないしは同等である構成要素には同一の符号が付されている。ここでは、この実施の形態２に関わる部分を中心に説明する。
すなわち、第３図に示すように、この実施の形態２による高周波バイパス装置では、第１図（実施の形態１）に示した構成において、配電線１，２では、分割型のコア６ａ，６ｂに代えて分割型のコア１１ａ，１１ｂが設けられている。また、配電線３，４では、分割型のコア７ａ，７ｂに代えて分割型のコア１２ａ，１２ｂが設けられている。これらのコアは、この実施の形態２では、ケーブル接続されておらず単にインダクタとして機能するようになっている。
そして、この実施の形態２では、第３図に示すように、配電線１，２では、コア１１ａ，１１ｂの設置位置に対し配電機器５から遠い位置にバンパイア１３ａ，１３ｂがそれぞれ設置されている。バンパイア１３ａ，１３ｂには、結合器１４ａが接続されている。また、配電線３，４では、コア１２ａ，１２ｂの設置位置に対し配電機器５から遠い位置にバンパイア１５ａ，１５ｂがそれぞれ設置されている。バンパイア１５ａ，１５ｂには、結合器１４ｂが接続されている。結合器１４ａと結合器１４ｂは、ケーブル８を介して接続されている。
結合器１４ａは、トランスとコンデンサとで構成され、バンパイア１３ａ，１３ｂから入力される配電線１，２上の電力に重畳された高周波信号を取り出しケーブル８に送り出す機能と、ケーブル８に送り出された高周波信号をバンパイア１３ａ，１３ｂに出力し配電線１，２上の電力に重畳させる機能とを併せ持つ高周波入出力手段である。
同様に、結合器１４ｂは、トランスとコンデンサとで構成され、バンパイア１５ａ，１５ｂから入力される配電線３，４上の電力に重畳された高周波信号を取り出しケーブル８に送り出す機能と、ケーブル８に送り出された高周波信号をバンパイア１５ａ，１５ｂに出力し配電線３，４上の電力に重畳させる機能とを併せ持つ高周波入出力手段である。
したがって、第３図に示す高周波バイパス装置の回路構成は、第４図に示すようになる。図４において、配電機器５の一端側では、外部に一端が接続される配電線２１の他端は結合器１４ａに接続されるとともに、コア１１ａが形成するインダクタＬ１を介して配電線２３の一端に接続され、配電線２３の他端は配電機器５の一端側の接続点Ａ１に接続される。以上が第３図に示す配電線１とバンパイア１３ａを介した結合器１４ａとコア１１ａとの関係である。
また、外部に一端が接続される配電線２２の他端は結合器１４ａに接続されるとともに、コア１１ｂが形成するインダクタＬ２を介して配電線２４の一端に接続され、配電線２４の他端は配電機器５の一端側の接続点Ａ２に接続される。以上が第３図に示す配電線２とバンパイア１３ｂを介した結合器１４ａとコア１１ｂとの関係である。
同様に、配電機器５の他端側では、外部に一端が接続される配電線２７の他端は結合器１４ｂに接続されるとともに、コア１２ａが形成するインダクタＬ３を介して配電線２５の一端に接続され、配電線２５の他端は配電機器の他端の接続点Ｂ１に接続される。以上が第３図に示す配電線３とバンパイア１５ａを介した結合器１４ｂとコア１２ａとの関係である。
また、外部に一端が接続される配電線２８の他端は結合器１４ｂに接続されるとともに、コア１２ｂが形成するインダクタＬ４を介して配電線２６の一端に接続され、配電線２６の他端は配電機器５の他端の接続点Ｂ１に接続される。以上が第３図に示す配電線４とバンパイア１５ｂを介した結合器１４ｂとコア１２ｂとの関係である。
そして、結合器１４ａと結合器１４ｂとの間は、ケーブル２９，３０を介して接続されている。以上が第３図に示すバンパイア１３ａ，１３ｂと結合器１４ａとケーブル８と結合器１４ｂとバンパイア１５ａ，１５ｂとの関係である。キャパシタＣ１，Ｃ２は、実施の形態１と同様の位置に設置されている。
次に、第４図を参照して、以上のように構成される実施の形態２による高周波バイパス装置の動作について説明する。
まず、電力線通信の高周波信号が配電線２１，２２の一端側に注入されていて、トランスＴ１，Ｔ２から高周波信号を取り出し、ケーブル２９，３０を経由してトランスＴ３，Ｔ４に高周波信号を注入するバイパス方法について説明する。
配電線２１，２２の一端側には、商用周波数の電力の他、高周波信号である電力線通信信号が重畳されている。その高周波信号のみが結合器１４ａによってケーブル２９，３０側に取り出される。取り出された高周波信号はケーブル２９，３０によって結合器１４ｂに伝達され、結合器１４ｂによって配電線２７，２８に注入される。
このとき、インダクタＬ１，Ｌ２は、結合器１４ａの接続点における配電線２１，２２間の高周波インピーダンスを高くし、そこから高周波信号を取り出す効率を上げる機能を有している。すなわち、インダクタＬ１は、配電線２１，２３間にそのインダクタンスによるインピーダンス分を生じさせる。同様に、インダクタＬ２は、配電線２２，２４間にそのインダクタンスによるインピーダンスを生じさせる。インダクタＬ１に発生するインピーダンスと、インダクタＬ２に発生するインピーダンスと、配電機器５の接続点Ａ１，Ａ２間のインピーダンスとの和を大きくすることにより、結合器１４ａの接続点における配電線２１，２２間から取り出すことのできる電位差を大きくすることができる。
また、配電機器の接続点Ａ１，Ａ２間に設置されているキャパシタＣ１は、接続点Ａ１，Ａ２間の高周波インピーダンスを低くし、高周波信号の使用する高周波帯域において、配電機器５の損失特性の影響を、高周波信号の取り出し地点において、見えなくする機能を有している。すなわち、配電機器５には分電盤、柱上変圧器、キャパシタバンクなどがある。それらはそれぞれ特有の損失特性を有している。
この場合、キャパシタＣ１を配電機器の接続点Ａ１，Ａ２間に設置することにより、接続点Ａ１，Ａ２間は高周波ショート状態となるので、高周波信号の取り出し地点において、配電機器５の損失特性は見えなくなる。つまり、結合器１４ａでは、配電機器５の特性の影響を受けないで、その接続点における配電線２１，２２から高周波信号を取り出しケーブル２９，３０に送り出すことができる。
同様に、インダクタＬ３，Ｌ４は、結合器１４ｂの接続点における配電線２７，２８間の高周波インピーダンスを高くし、そこから高周波信号を注入する効率を上げる機能を有している。すなわち、インダクタＬ３は、配電線２５，２７間にそのインダクタンスによるインピーダンス分を生じさせる。同様に、インダクタＬ４は、配電線２６，２８の間にそのインダクタンスによるインピーダンスを生じさせる。
この場合、インダクタＬ３に発生するインピーダンスと、インダクタＬ４に発生するインピーダンスと、配電機器５の接続点Ｂ１，Ｂ２間のインピーダンスとの和を大きくすることにより、配電線２７，２８の間に注入することのできる電位差を大きくすることができる。
また、配電機器５の接続点Ｂ１，Ｂ２間に設置されているキャパシタＣ２は、接続点Ｂ１，Ｂ２間の高周波インピーダンスを低くし、高周波信号の使用する高周波帯域において、配電機器５の損失特性の影響を、高周波信号を注入する地点において、見えなくする機能を有している。すなわち、配電機器５には、分電盤、柱上変圧器、キャパシタバンクなどがある。それらはそれぞれ特有の損失特性を有している。
この場合、キャパシタＣ２を配電機器の接続点Ｂ１，Ｂ２の間に設置することにより、接続点Ｂ１，Ｂ２間は高周波ショート状態となり、高周波注入点において、配電機器５の損失特性は見えなくなる。つまり、結合器１４ｂは、配電機器５の特性の影響を受けないで、ケーブル２９，３０から高周波信号を取り出してその接続点における配電線２５，２７間に注入することができる。
なお、配電機器５の接続点Ａ１，Ａ２間に設置されているキャパシタＣ１は、インダクタＬ１，Ｌ２と共にＬＣローパスフィルタを構成している。商用周波数の電力に影響を与えないようにするため、このローパスフィルタのカットオフ周波数が商用周波数よりも高くかつ高周波信号の周波数よりも低くなるようにインダクタＬ１，Ｌ２のインダクタンス値とキャパシタＣ１の容量値を適切に設定することが必要である。
同様に、配電機器５の接続点Ｂ１，Ｂ２間に設置されているキャパシタＣ２は、インダクタＬ３，Ｌ４と共にＬＣローパスフィルタを構成している。商用周波数の電力に影響を与えないようにするため、このローパスフィルタのカットオフ周波数が商用周波数よりも高くかつ高周波信号の周波数よりも低くなるようにインダクタＬ３，Ｌ４のインダクタンス値とキャパシタＣ２の容量値を適切に設定することが必要である。
このように、配電線２１，２２に注入され伝送されてきた電力線通信の高周波信号を、バンパイヤ１３ａ，１３ｂおよび結合器１４ａによって取り出し、ケーブル２９，３０を経由して結合器１４ｂおよびバンパイヤ１５ａ，１５ｂによって配電線２７，２８に注入することができる。逆方向、すなわち配電線２７，２８に注入され伝送されてきた電力線通信の高周波信号を、バンパイヤ１５ａ，１５ｂおよび結合器１４ｂによって取り出し、ケーブル２９，３０を経由して結合器１４ａおよびバンパイヤ１３ａ，１３ｂによって配電線２１，２２に注入することも、配電機器５を中心に対称の構成となっているので、上記と同様に行うことができる。
以上のように、実施の形態２によれば、高周波信号の配電線からの取り出しと配電線への注入の手段として、バンパイヤおよび結合器を配電機器の両側における２本の配電線にそれぞれ設置して結合器間をケーブル接続するとともに、インダクタとして機能する分割型のコアを配電機器の両側における２本の配電線にそれぞれ配置し、また配電機器と配電線との接続点間にキャパシタを設置しているので、高周波信号の周波数帯域において配電機器の損失特性の影響を受けないで、高周波信号のバイパスが可能である。
このとき、配電線から高周波信号の取り出しと注入を行うバンパイヤと配電機器との間にインダクタとして機能するコアを設置しているので、バイパス用の高周波信号の取り出し効率と注入効率を大きくすることができる。
また、配電線に設置するインダクタとしてのコアは分割型であるので、配電線を挟み込んで設置することができる。また、キャパシタの接続位置は配電機器と配電線との接続端であり、接続部分が露出している。さらに、配電線に設けるバイパス部の接続はバンパイヤを使用する。したがって、配電線が活線状態のままで取付工事が行える、すなわち無停電工事が可能である。
実施の形態３．
第５図は、この発明の実施の形態３である高周波バイパス装置の機器配置を示す図である。第６図は、第５図に示す高周波バイパス装置の回路構成を示す等価回路図である。なお、第５図と第６図では、第１図と第２図（実施の形態１）に示した構成要素と同一ないしは同等である構成要素には同一の符号が付されている。ここでは、この実施の形態３に関わる部分を中心に説明する。
すなわち、第５図に示すように、この実施の形態３による高周波バイパス装置では、第１図（実施の形態１）に示した構成において、配電線１，２のいずれか一方の配電線にトランスとして機能する分割型のコアが配置され、他方の配電線にはトランスとして機能する分割型のコアは配置されない。図５では、配電線１に分割型のコア６ａが配置され、配電線２では分割型のコア６ｂが省略されている。
また、配電線３，４のいずれか一方の配電線にトランスとして機能する分割型のコアが配置され、配電線にはトランスとして機能する分割型のコアは配置されない。図５では、配電線３に分割型のコア７ａが配置され、配電線４では分割型のコア７ｂが省略されている。
したがって、第５図に示す高周波バイパス装置の回路構成は、第６図に示すようになる。図６において、配電機器５の一端側では、外部に一端が接続される配電線２１の他端はコア６ａが形成するトランスＴ１の一方の入出力側巻線を介して配電線２３の一端に接続され、配電線２３の他端は配電機器５の一端側の接続点Ａ１に接続される。以上が第５図に示す配電線１とコア６ａの関係である。一方、外部に一端が接続される配電線２２の他端は配電機器５の一端側の接続点Ａ２に接続される。
同様に、配電機器５の他端側では、外部に一端が接続される配電線２７の他端はコア７ａが形成するトランスＴ３の一方の入出力側巻線を介して配電線２５の一端に接続され、配電線２５の他端は配電機器の他端の接続点Ｂ１に接続される。以上が第５図に示す配電線３とコア７ａの関係である。一方、外部に一端が接続される配電線２８の他端は配電機器５の他端側の接続点Ｂ２に接続される。
トランスＴ１およびトランスＴ３の他方の入出力側巻線の一端がケーブル２９を介して接続され、トランスＴ１およびトランスＴ３の他方の入出力側巻線の他端がケーブル３０を介して接続されている。以上が第１図に示すコア６ａ、ケーブル８、コア７ａの関係である。キャパシタＣ１，Ｃ２は、実施の形態１と同様の位置に設置されている。
以上のように構成される実施の形態３による高周波バイパス装置が実現するバイパス動作は、実施の形態１にて説明したのと同様であるので、その説明を割愛する。
この実施の形態３によれば、実施形態１と同様の効果が得られるのに加えて、コアの数が半分になるので、設置作業性を一層向上させることができる。但し、２本の配電線のいずれか一方にのみコアを配置するので平衡度が悪くなる。つまり、コモンモードノイズが増加する。
実施の形態４．
第７図は、この発明の実施の形態４である高周波バイパス装置の機器配置を示す図である。第８図は、第７図に示す高周波バイパス装置の回路構成を示す等価回路図である。なお、第７図と第８図では、第３図と第４図（実施の形態２）に示した構成要素と同一ないしは同等である構成要素には同一の符号が付されている。ここでは、この実施の形態４に関わる部分を中心に説明する。
すなわち、第７図に示すように、この実施の形態４による高周波バイパス装置では、第３図（実施の形態２）に示した構成において、配電線１，２のいずれか一方の配電線にインダクタとして機能する分割型のコアが配置され、他方の配電線にはインダクタとして機能する分割型のコアは配置されない。図７では、配電線１にインダクタとして機能する分割型のコア１１ａが配置され、配電線２ではインダクタとして機能する分割型のコア１１ｂが省略されている。
また、配電線３，４のいずれか一方の配電線にインダクタとして機能する分割型のコアが配置され、配電線にはインダクタとして機能する分割型のコアは配置されない。図７では、配電線３にインダクタとして機能する分割型のコア１２ａが配置され、配電線４ではインダクタとして機能する分割型のコア１２ｂが省略されている。
したがって、第７図に示す高周波バイパス装置の回路構成は、第８図に示すようになる。図８において、配電機器５の一端側では、外部に一端が接続される配電線２１の他端は結合器１４ａに接続されるとともに、コア１２ａが形成するインダクタＬ１を介して配電線２３の一端に接続され、配電線２３の他端は配電機器５の一端側の接続点Ａ１に接続される。以上が第７図に示す配電線１とバンパイア１３ａを介した結合器１４ａとコア１２ａとの関係である。一方、外部に一端が接続される配電線２２の他端は配電機器５の一端側の接続点Ａ２に接続される。
同様に、配電機器５の他端側では、外部に一端が接続される配電線２７の他端は結合器１４ｂに接続されるとともに、コア１２ａが形成するインダクタＬ３を介して配電線２５の一端に接続され、配電線２５の他端は配電機器の他端の接続点Ｂ１に接続される。以上が第７図に示す配電線３とバンパイア１５ａを介した結合器１４ｂとコア１２ａとの関係である。一方、外部に一端が接続される配電線２８の他端は配電機器の他端の接続点Ｂ１に接続される。
また、キャパシタＣ１，Ｃ２は実施の形態１と同様の位置に設置されている。なお、配電線２１，２２と結合器１４ａとケーブル２９，３０と結合器１４ｂと配電線２７，２８との関係は、図４と同じである。
以上のように構成される実施の形態４による高周波バイパス装置が実現するバイパス動作は、実施の形態２にて説明したのと同様であるので、その説明を割愛する。
この実施の形態４によれば、実施形態２と同様の効果が得られるのに加えて、コアの数が半分になるので、設置作業性を一層向上させることができる。但し、２本の配電線のいずれか一方にのみコアを配置するので平衡度が悪くなる。つまり、コモンモードノイズが増加する。
なお、実施の形態１〜４では、通信装置が電力線通信装置で、その通信路としての配電線およびバイパス対象として配電機器に適用する場合を例に挙げて説明したが、この発明はこれに限定されるものではない。すなわち、この発明では、通信装置は電力線通信装置以外の装置でもよく、通信路は配電線以外のメタル線であるいわゆる電線でもよく、またバイパス対象として配電機器以外のものでもよい。
具体的には、例えば、２本の電線の途中にスイッチが介在しているが、そのスイッチが開路している場合に、この発明の高周波バイパス装置を適用すると、スイッチをバイパスして両端を高周波的に接続し電線を通信路として用いることができる。
また、例えば、電車において、機器の制御用電線やスピーカ用電線にモデムを接続しても支障ない場合は、それらの電線のうちの２本を使ってモデ厶通信を行うことを考える。そのとき、途中に、通信の障害となる機器（その機器の特性がモデム信号に影響を与える）があるとき、この発明の高周波バイパス装置を適用してその障害機器をバイパスすれば、電車内で機器の制御用電線やスピーカ用電線を用いてモデム通信を実現することができる。
さらに、例えば、電車において、複数ある電源線の任意の２本にモデムを接続して通信を行うことを考える。そのとき、通信の障害となる機器として、途中にモータへの接続部分（モータの特性が現れてモデム信号に影響を与える）や、開路している電源切断スイッチなど通信障害機器が存在すれば、それらをこの発明の高周波バイパス装置を適用してバイパスすることで、複数ある電源線の任意の２本を使ってのモデム通信を実現することができる。
【産業上の利用可能性】  この発明は、電線上の通信信号を途中に存在する通信障害機器をその機種に依らずバイパスして伝送することができるので、電力線を用いて高周波信号を伝送する電力線通信だけでなく、任意の電線を用いて高周波信号を伝送する高周波バイパス装置として好適であり、また設置作業の容易性を有するので、電源線を用いる場合に無停電で取り付けることができる高周波バイパス装置として好適である。
【図１】
2005088858.tif 000002
【図２】
2005088858.tif 000003
【図３】
2005088858.tif 000004
【図４】
2005088858.tif 000005
【図５】
2005088858.tif 000006
【図６】
2005088858.tif 000007
【図７】
2005088858.tif 000008
【図８】
2005088858.tif 000009
【国際調査報告】
2005088858.tif 000010
2005088858.tif 000011
2005088858.tif 000012
2005088858.tif 000013